(57)【要約】【課題】左右に捩れにくく、箸棒の先端を合わせやすい箸の補助具を提供する。【解決手段】箸棒の差込部１１、２１を有する第１、第２ホルダ１０、２０と、両ホルダを箸棒の開閉方向に回動自在に連結する突軸１３及び軸孔２３と、両ホルダ間に介装されて箸棒を開き方向に付勢する樹脂製のクッションピース３０と、を備え、第１ホルダに２枚の第１連結片１２が設けられ、これら２枚の第１連結片の間隔が第１連結片の外面１２ａと差込部１１の外面１１ａとが面一となる最大幅寸法に設定され、第２ホルダに２枚の第２連結片２２が設けられ、これら２枚の第２連結片の間隔が第２連結片の外面２２ａが第１連結片の各内面１２ｂと摺動自在に当接する最大幅寸法に設定されている。【選択図】図１
0003130744.tif 000002
【実用新案登録請求の範囲】
【請求項１】
一方の箸棒の差込部を有する第１ホルダと、他方の箸棒の差込部を有する第２ホルダと、前記第１ホルダと第２ホルダを前記箸棒の開閉方向に回動自在に連結する軸と、前記第１ホルダと第２ホルダの間に介装されて、各ホルダに保持された箸棒を開き方向に付勢する付勢部材と、を備える箸の補助具において、
前記第１ホルダには、前記箸棒の差込部から互いに間隔をおいて平行に延びる２枚の第１連結片が設けられており、且つ、これら２枚の第１連結片の間隔は、該両第１連結片の外面と前記箸棒の差込部の外面とが面一となる最大幅寸法に設定され、
前記第２ホルダには、前記箸棒の差込部から互いに間隔をおいて平行に延びる２枚の第２連結片が設けられており、且つ、これら２枚の第２連結片の間隔は、該両第２連結片の外面が前記２枚の第１連結片の各内面と摺動自在に当接する最大幅寸法に設定され、
前記第１連結片と第２連結片の摺動自在に重なる部分に前記軸が配置されると共に、
前記２枚の第２連結片の間に前記付勢部材が配置されていることを特徴とする箸の補助具。
【請求項２】
請求項１に記載の箸の補助具であって、
前記第１ホルダと第２ホルダがそれぞれ樹脂の成形品よりなり、前記第２ホルダの２枚の第２連結片に軸孔が形成されると共に、前記第１ホルダの２枚の第１連結片の各内面に前記軸孔に嵌まる突軸が突設され、前記第２連結片の軸孔に前記第１連結片の突軸が回動自在に嵌まることで前記軸が構成されていることを特徴とする箸の補助具。
【請求項３】
請求項２に記載の箸の補助具であって、
前記付勢部材が、柔軟性を有する樹脂のクッションピースよりなり、
該クッションピースが、前記箸棒を閉じたときに前記第１ホルダ及び第２ホルダの内側面間に挟まれて圧縮されるように配置されていることを特徴とする箸の補助具。
【請求項４】
請求項３に記載の箸の補助具であって、
前記クッションピースの両側面に、前記第２連結片の軸孔に嵌まる突起が設けられていることを特徴とする箸の補助具。
【請求項５】
請求項３または４に記載の箸の補助具であって、
前記クッションピースに、圧縮時の弾性を調整するための切欠孔が設けられていることを特徴とする箸の補助具。
【考案の詳細な説明】
【技術分野】
【０００１】
本考案は、箸の使用を補助するための箸の補助具に関するものである。
【背景技術】
【０００２】
例えば、手の不自由な人のための箸の補助具として、一方の箸棒の差込部を有する第１ホルダと、他方の箸棒の差込部を有する第２ホルダと、第１ホルダと第２ホルダを箸棒の開閉方向に回動自在に連結する軸と、第１ホルダと第２ホルダの間に介装されて、各ホルダに保持された箸棒を開き方向に付勢する付勢部材とを備えた補助具が、特許文献１において知られている。
【特許文献１】実開昭５３−８５３７６号公報
【考案の開示】
【考案が解決しようとする課題】
【０００３】
ところが、特許文献１に記載された従来の補助具は、２つのホルダを連結する部分の軸方向寸法が小さいために、左右に捩れやすく、箸棒の先端が合わせにくいという問題がある。
【０００４】
本考案は、上記事情を考慮し、左右に捩れにくく、箸棒の先端を合わせやすい箸の補助具を提供することを目的とする。
【課題を解決するための手段】
【０００５】
請求項１の考案は、一方の箸棒の差込部を有する第１ホルダと、他方の箸棒の差込部を有する第２ホルダと、前記第１ホルダと第２ホルダを前記箸棒の開閉方向に回動自在に連結する軸と、前記第１ホルダと第２ホルダの間に介装されて、各ホルダに保持された箸棒を開き方向に付勢する付勢部材と、を備える箸の補助具において、前記第１ホルダには、前記箸棒の差込部から互いに間隔をおいて平行に延びる２枚の第１連結片が設けられており、且つ、これら２枚の第１連結片の間隔は、該両第１連結片の外面と前記箸棒の差込部の外面とが面一となる最大幅寸法に設定され、前記第２ホルダには、前記箸棒の差込部から互いに間隔をおいて平行に延びる２枚の第２連結片が設けられており、且つ、これら２枚の第２連結片の間隔は、該両第２連結片の外面が前記２枚の第１連結片の各内面と摺動自在に当接する最大幅寸法に設定され、前記第１連結片と第２連結片の摺動自在に重なる部分に前記軸が配置されると共に、前記２枚の第２連結片の間に前記付勢部材が配置されていることを特徴とする。
【０００６】
請求項２の考案は、請求項１に記載の箸の補助具であって、前記第１ホルダと第２ホルダがそれぞれ樹脂の成形品よりなり、前記第２ホルダの２枚の第２連結片に軸孔が形成されると共に、前記第１ホルダの２枚の第１連結片の各内面に前記軸孔に嵌まる突軸が突設され、前記第２連結片の軸孔に前記第１連結片の突軸が回動自在に嵌まることで前記軸が構成されていることを特徴とする。
【０００７】
請求項３の考案は、請求項２に記載の箸の補助具であって、前記付勢部材が、柔軟性を有する樹脂のクッションピースよりなり、該クッションピースが、前記箸棒を閉じたときに前記第１ホルダ及び第２ホルダの内側面間に挟まれて圧縮されるように配置されていることを特徴とする。
【０００８】
請求項４の考案は、請求項３に記載の箸の補助具であって、前記クッションピースの両側面に、前記第２連結片の軸孔に嵌まる突起が設けられていることを特徴とする。
【０００９】
請求項５の考案は、請求項３または４に記載の箸の補助具であって、前記クッションピースに、圧縮時の弾性を調整するための切欠孔が設けられていることを特徴とする。
【考案の効果】
【００１０】
請求項１の考案によれば、第１連結片と第２連結片を、使用上において邪魔にならない最大限の幅をもって軸により連結しているので、左右に捩れにくく、箸の先端を合わせやすくすることができる。従って、挟み損ないが少なくなる。また、左右に捩れにくいので、強度が高くなる。また、外面に凹凸を極力少なくすることができるから、ゴミが付着しにくく、もしゴミが付着した場合でも、容易に洗い流したり、拭き取れたりし、衛生的である。
【００１１】
請求項２の考案によれば、軸を構成する要素を樹脂製の各ホルダに一体に形成しているので、部品点数を減らすことができ、分解・組立も容易にでき、衛生管理もしやすくなる。
【００１２】
請求項３の考案によれば、柔軟性を有する樹脂のクッションピースを付勢部材として使用しているので、柔らかな反撥力を発揮することができ、手の不自由な人にも手に馴染みやすくすることができる。また、金属のバネを使わないので安全でもあるし、コンパクトで軽量にすることもできる。また、クッションピースは、ホルダとは別ピースとして構成しているので、材質を独立に選択可能であり、バネ力の違うクッションピースに交換することも容易にできる。
【００１３】
請求項４の考案によれば、クッションピースの取り付けに、ホルダの連結用の軸孔を共用するので、構成の簡略化が図れる上、クッションピースの脱落を防ぐことができる。
【００１４】
請求項５の考案によれば、クッションピースに設ける切欠孔により、クッションピースの弾性を多様に調整することができる。
【考案を実施するための最良の形態】
【００１５】
以下、本考案の実施形態を図面を参照して説明する。
図１は実施形態の箸の補助具の分解斜視図、図２は同補助具の組立状態を示す斜視図、図３（ａ）は図２のＩＩＩ−ＩＩＩ矢視断面図、（ｂ）は（ａ）のＩＩＩｂ−ＩＩＩｂ矢視断面図である。図４は同補助具を使用して箸棒を閉じた状態を示す斜視図、図５は同補助具を使用して箸棒を開いた状態を示す斜視図である。
【００１６】
この箸の補助具Ｍは、一方の箸棒１０１の差込部１１を有する第１ホルダ１０と、他方の箸棒１０２の差込部２１を有する第２ホルダ２０と、第１ホルダ１０と第２ホルダ２０を箸棒１０１、１０２の開閉方向に回動自在に連結する軸（後述する突軸１３と軸孔２３とからなる）と、第１ホルダ１０と第２ホルダ２０の間に介装されて、各ホルダ１０、２０に保持された箸棒１０１、１０２を開き方向（図３（ａ）、図５の矢印Ｂ方向）に付勢するクッションピース３０と、からなる。
【００１７】
第１ホルダ１０には、箸棒１０１の差込部１１から互いに間隔をおいて平行に延びる２枚の第１連結片１２が設けられており、且つ、これら２枚の第１連結片１２の間隔は、両第１連結片１２の外面１２ａと箸棒１０１の差込部１１の外面１１ａとが面一となる最大幅寸法に設定されている。
【００１８】
また、第２ホルダ２０には、箸棒１０２の差込部２１から互いに間隔をおいて平行に延びる２枚の第２連結片２２が設けられており、且つ、これら２枚の第２連結片２２の間隔は、両第２連結片２２の外面２２ａが第１ホルダ１０側の２枚の第１連結片１２の各内面１２ｂと摺動自在に当接する最大幅寸法に設定されている。
【００１９】
各ホルダ１０、２０の差込部１１、２１には、周壁に縦の割り溝１１ｃ、２１ｃの入った差込孔１１ｂ、２１ｂが設けられている。第１ホルダ１０と第２ホルダ２０はそれぞれ樹脂の成形品よりなり、第２ホルダ２０の２枚の第２連結片２２には貫通した軸孔２３が形成され、第１ホルダ１０の２枚の第１連結片１２の各内面１２ｂには、第２連結片２２の軸孔２３に半分の深さだけ嵌まる突軸１３が突設されている。これら軸孔２３と突軸１３は、第１連結片１２と第２連結片２２の摺動自在に重なる部分に設けられており、第２連結片２２の軸孔２３に第１連結片１２の突軸１３が回動自在に嵌まることで、両ホルダ１０、２０を回動自在に連結する軸が構成されている。
【００２０】
なお、第２ホルダ２０の第２連結片２２の外面２２ａと差込部２１との間には円弧状の段差２２ｃが設けられており、その段差２２ｃの周方向の両端に、第１連結片１２の周縁部に衝突することで、両ホルダ１０、２０の開閉角度を規制するストッパ部２４、２５が設けられている。
【００２１】
クッションピース３０は、柔軟性を有する樹脂（例えば、発泡ウレタン等）で構成されており、第２ホルダ２０の２枚の第２連結片２２の間に配置され、且つ、箸棒１０１、１０２を閉じたときに第１ホルダ１０及び第２ホルダ２０の内側面間に挟まれて圧縮されるように配置されている。
【００２２】
クッションピース３０は、半円形の本体部３１の下側に末広がり形状部３２を形成した平面視形状が釣り鐘形のもので、全体が板状に成形され、本体部３１の両側面に、第２連結片２２の軸孔２３に半分の深さだけ嵌まる突起３３を有している。また、末広がり形状部３２の両端面が圧縮力を受ける面３２ａとされ、両圧縮力を受ける面３２ａの間に位置させて、圧縮時の弾性を調整するための切欠孔３５が明けられている。なお、この切欠孔３５は無くてもよい。
【００２３】
また、クッションピース３０の末広がり形状部３２にホルダ１０、２０側から効率良く圧縮力を加えることができるように、各ホルダ１０、２０の差込部１１、２１と連結片１２、２２側の空間との間の仕切壁１１ｄ、２１ｄに凸部１８、２８が設けられている。凸部１８、２８は軸（軸孔２３及び突軸１３）の位置よりも下側にある。
【００２４】
次に作用を述べる。
この補助具Ｍを組み立てるには、両方のホルダ１０、２０の連結片１２、２２の突軸１３と軸孔２３を互いに嵌め合わせると共に、クッションピース３０の凸部３３を軸孔２３に嵌める。これにより、第１ホルダ１０と第２ホルダ２０とクッションピース３０よりなる補助具Ｍが完成する。この際、第２連結片２２の軸孔２３の外側の半分の深さに突軸１３が嵌まり、内面側の半分の深さにクッションピース３０の凸部３３が嵌まるので、構成が単純であり、無駄がない。
【００２５】
次にこの箸の補助具Ｍを使用する場合は、図４、図５に示すように、各ホルダ１０、２０の差込部１１、２１の差込孔１１ｂ、２１ｂに箸棒１０１、１０２を差し込む。この際、差入孔１１ｂ、２１ｂの周壁に割り溝１１ｃ、２１ｃを設けているので、種々の太さの箸棒１０１、１０２に対応することができるし、差し込み深さを調節することもできる。
【００２６】
この状態で、図４に示すように、補助具Ｍの下側を手で掴むようにして箸棒１０１、１０２の先端側を矢印Ａ方向に閉じることにより、物を摘むことができる。このとき、両ホルダ１０、２０の凸部１８、２８（図３（ａ）参照）に押圧されることで、クッションピース３０が圧縮される。従って、掴む力を除くと、クッションピース３０の復元力により、図５の矢印Ｂで示す方向に箸棒１０１、１０２が自動的に開く。このように、箸棒１０１、１０２に対して掴む力を加えたり、掴む力を取り除いたりすることで、自力で箸棒１０１、１０２を開けない人でも、箸を自在に使うことができる。
【００２７】
この補助具Ｍの場合、第１ホルダ１０と第２ホルダ２０を連結する第１連結片１２と第２連結片２２を、使用上において邪魔にならない最大限の幅をもって軸（軸孔２３及び突軸１３）により連結しているので、左右に捩れにくく、箸棒１０１、１０２の先端を合わせやすくすることができる。従って、挟み損ないが少なくなる。また、左右に捩れにくいので、強度が高くなる。また、外面に凹凸を極力少なくすることができるから、ゴミが付着しにくく、もしゴミが付着した場合でも、容易に洗い流したり、拭き取れたりし、衛生的である。
【００２８】
また、軸を構成する要素（突軸１３と軸孔２３）を樹脂製の各ホルダ１０、２０に一体に形成しているので、部品点数を減らすことができ、分解・組立も容易にでき、衛生管理もしやすくなる。
【００２９】
また、柔軟性を有する樹脂のクッションピース３０を付勢部材として使用しているので、柔らかな反撥力を発揮することができ、手の不自由な人にも手に馴染みやすくすることができる。また、金属のバネを使わないので安全でもあるし、コンパクトで軽量にすることもできる。
【００３０】
また、クッションピース３０は、ホルダ１０、２０とは別ピースとして構成しているので、材質を独立に選択可能であり、バネ力の違うクッションピース３０に交換することも容易にできる。
【００３１】
また、クッションピース３０の取り付けに、ホルダ１０、２０の連結用の軸孔２３を共用するので、構成の簡略化が図れる上、クッションピース３０の脱落を防ぐことができる。
【００３２】
また、クッションピース３０に設ける切欠孔により、クッションピースの弾性を多様に調整することができる。
【図面の簡単な説明】
【００３３】
【図１】本考案の実施形態の箸の補助具の分解斜視図である。
【図２】同補助具の組立状態を示す斜視図である。
【図３】（ａ）は図２のＩＩＩ−ＩＩＩ矢視断面図、（ｂ）は（ａ）のＩＩＩｂ−ＩＩＩｂ矢視断面図である。
【図４】同補助具を使用して箸棒を閉じた状態を示す斜視図である。
【図５】同補助具を使用して箸棒を開いた状態を示す斜視図である。
【符号の説明】
【００３４】
Ｍ  箸の補助具
１０  第１ホルダ
１１  差込部
１１ａ  外面
１２  第１連結片
１２ａ  外面
１２ｂ  内面
１３  突軸
２０  第２ホルダ
２１  差込部
２２  第２連結片
２２ａ  外面
２３  軸孔
３０  クッションピース
３３  凸部
３５  切欠孔
１０１，１０２  箸棒
【図１】
0003130744.tif 000003
【図２】
0003130744.tif 000004
【図３】
0003130744.tif 000005
【図４】
0003130744.tif 000006
【図５】
0003130744.tif 000007